(57)【要約】【課題】無駄な患者データ管理キー入力操作を簡略化し、画面の操作性を向上する。【解決手段】操作画面フレーム１０１をタイトル１０２、ボタン１０３、共通キー１０４、操作画面１０５などに分割する。分割した操作画面貼り付けフレーム１０５には複数の操作画面を重ねて貼り付け、貼り付けた複数の画面を１画面として管理する。この結果、共通キー貼り付けフレーム１０４に貼り付けた部品、たとえば患者データ管理キーなどを共有することができる。【選択図】図１
2005201720.tif 000002
【特許請求の範囲】
【請求項１】
データの表示や登録のための操作画面を有する検査システムであって、
前記操作画面はフレーム内を複数の領域に分割され、１つの領域に複数の操作画面を重ねて貼り付けて１画面となし、他の領域に前記複数の操作画面に共通の管理キーを設けることを特徴とした検査システム。
【請求項２】
データの表示や登録のための操作画面を有する検査システムであって、
前記操作画面はそのフレーム内を複数の領域に分割し、用途に応じた属性を操作画面領域を含み前記複数の領域に定義し、定義された操作画面領域に複数の操作画面を重ねて貼り付けて１画面となし、該１画面をメインフレームとして管理する、操作画面レイアウト生成手段を設けることを特徴とした検査システム。
【請求項３】
データの表示や登録のための操作画面を有する検査システムであって、
前記操作画面はそのフレーム内を複数の領域に分割し、分割した領域をタイトル領域、ボタン領域、共通領域、操作画面領域にそれぞれ定義し、前記操作画面領域に複数の操作画面を重ねて貼り付けて１画面となし、該１画面をメインフレームとして管理する、操作画面レイアウト生成手段を設けることを特徴とした検査システム。
【請求項４】
請求項２または３において、前記操作画面領域に重ねて貼り付けた複数の操作画面のそれぞれを前記メインフレームと同じ構成に細分割できることを特徴とした検査システム。
【請求項５】
請求項３において、前記メインフレームの共通領域は貼り付けた複数の操作画面間での管理キーを共有できることを特徴とした検査システム。
【請求項６】
サーバ及びクライアントが通信回線により接続され、前記サーバのデータベースには患者データである検査依頼情報や検査結果などが管理されると共に前記サーバは前記クライアントから分析データを取得し、前記クライアントには複数の分析装置が接続されると共に請求項２〜５のいずれかに記載の操作画面レイアウト生成手段を設け、前記クライアントは前記分析装置に対して分析を指示すると共に分析データを編集することを特徴とする臨床検査システム。
【発明の詳細な説明】
【技術分野】
【０００１】
本発明は検査システムに係り、特に検査データの表示・登録および運用を支援する操作画面のフレーム構成に関する。
【背景技術】
【０００２】
病院の検査室における業務は、診療側から患者ごとの検査依頼を受付、検体を採取して分析し、その結果を診療側へ報告することが基本となる。これらの検査業務を支援するために、臨床検査システムは運用別に分類した患者データ表示・登録用の操作画面と運用を支援する操作画面を装備している。
【０００３】
操作画面のレイアウトは、患者データの種類を定義する方式で編集するのが一般的であり、特許文献１でも提唱されている。すなわち、操作画面に準備した複数の部品より該当部品（例えば、患者データ入力画面）をドラックして目的の位置へドロップし、該当の貼り付け部品をダブルクリックして部品詳細情報プロパティを表示させ、貼り付け部品に対応させる。
【０００４】
臨床検査システムにおける操作画面は、ユーザごとに多種多様な要求となるため、そのまま準備すると画面数が多くなり、データベースへのアクセス頻度が増え、システムの性能を劣化させてしまう。また、臨床検査システムで保存する患者データは、一般的に受付番号、バーコード番号および患者番号で管理するため操作画面ごとに管理キーの入力が必要となり、画面の操作性が悪くなる。この問題を解決する一般的な方法として、管理キーおよび読み出した患者データを関連する操作画面間で共有しデータベースへのアクセス回数を減らす方法がとられている。
【０００５】
【特許文献１】特開２００２−３４２４８１公報
【発明の開示】
【発明が解決しようとする課題】
【０００６】
上記のように、従来の技術は操作画面のレイアウト編集およびデータベースアクセスによる性能劣化を回避する方式である。しかし、患者データを管理する受付番号、バーコード番号および患者番号を操作画面ごとに入力する操作、つまり操作画面間で共有する管理キーの入力を簡略化するものとはなっていない。
【０００７】
本発明の目的は、共有する管理キーの追加・削除を可能とし、操作画面間で管理キーの入力操作を簡略化できる検査システムを提供することにある。
【課題を解決するための手段】
【０００８】
上記目的を達成するための本発明は、データの表示や登録のための操作画面を有する検査システムであって、前記操作画面はそのフレーム内を複数の領域に分割され、１つの領域に複数の操作画面を重ねて貼り付けて１画面となし、他の領域に前記複数の操作画面に共通の管理キーを設けることを特徴とする。
【０００９】
また、本発明の検査システムは、データの表示や登録のための操作画面を有するものであって、前記操作画面はそのフレーム内を複数の領域に分割し、用途に応じた属性を操作画面領域を含み前記複数の領域に定義し、定義された操作画面領域に複数の操作画面を重ねて貼り付けて１画面となし、該１画面をメインフレームとして管理する、操作画面レイアウト生成手段を設けることを特徴としている。
【００１０】
また、前記操作画面はそのフレーム内を複数の領域に分割し、分割した領域をタイトル領域、ボタン領域、共通領域、操作画面領域にそれぞれ定義する。
【００１１】
また、前記操作画面領域に重ねて貼り付けた複数の操作画面のそれぞれを前記メインフレームと同じ構成に細分割できる。
【００１２】
また、前記メインフレームの共通領域は貼り付けた複数の操作画面間での管理キーを共有できる。
【００１３】
このように、操作画面を分割し、分割した単位に別の操作画面読み出しフレーム、管理キー部品貼付けフレーム、操作画面重ね貼り付けフレームを定義し、１つの操作画面フレームとして構成している。
【００１４】
これにより複数の操作画面を１画面として管理することができるので、データベースへのアクセス回数を減らせるとともに、貼り付けた画面間で管理キーを共有でき入力操作を省略できる。また、操作画面を重ねて貼り付ける領域は１画面として扱えることから、メインのフレームと同様に分割が可能となり、操作画面数を減らすことができる。
【発明の効果】
【００１５】
本発明により貼り付けた操作画面間での管理キーの共有が可能となるため、複数の操作画面を１画面として扱え、また、管理キーの入力が省略できるなど、検査システムの操作性を向上できる。また、操作画面数を減らすことができるので、データベースのアクセス回数が減少し、システム性能を向上できる。
【発明を実施するための最良の形態】
【００１６】
図２は本発明の一実施例による臨床検査システムの構成を示す。本システムはサーバ２１０とクライアント２２０及びゲートウェイ２４０が、通信回線（LAN）２６０により接続されている。
【００１７】
サーバ２１０のデータベースには患者データである検査依頼情報、検査結果などが保存管理されている。クライアント２２０には分析装置２３１〜２３ｎが接続され、クライアント２２０から分析装置２３１〜２３ｎに分析情報を渡し分析を指示する。
【００１８】
サーバ２１０は分析装置２３１〜２３ｎで分析したデータをクライアント経由で取得し、データベースへ格納する。データベースに格納された分析データは、ゲートウェイ２４０を経由してホストシステム２５０へ送信する。
【００１９】
クライアント２２０は分析データを編集し、検査報告書をサーバ宛てに出力する。また、複数の操作画面を重ねて貼り付けて１画面とし、これをメインフレームとして管理する操作画面レイアウト生成手段２２１と、操作画面フレームを複数領域に分割し、各領域に用途に応じた属性を定義する操作画面レイアウト定義テーブル２２２を有している。
【００２０】
図１は本発明による操作画面の構成を示す。本実施例の操作画面は、クライアント２２０の操作画面レイアウト生成手段２２１で動作するものである。図示のように、操作画面フレーム１０１はタイトルフレーム１０２、ボタン貼り付けフレーム１０３、共通キー貼り付けフレーム１０４および操作画面貼り付けフレーム１０５に分割され、１操作画面フレームとして構成されている。さらに、操作画面貼り付けフレーム１０５に貼り付けた操作画面１１１は、ボタン貼り付けフレーム１２１、共通キー貼り付けフレーム１２２および操作画面貼り付けフレーム１２３に細分割して構成される。
【００２１】
操作画面フレーム１０１内のボタン貼り付けフレーム１０３は、別の操作画面フレームへ切り替えるためのボタン部品１０６を貼り付けできる。共通キー貼り付けフレーム１０４は、患者データの入力・表示を実行する単部品１０７を貼り付けられる。この貼り付けた単部品１０７は、操作画面貼り付けフレーム１０５に貼り付けた操作画面１１１〜１１ｎで共有することができる。
【００２２】
操作画面１１１〜１１ｎは、共通の操作画面貼り付けフレーム１０５に貼り付けてあることから、１操作画面として管理することができる。細分割した操作画面１１１内の操作画面貼り付けフレーム１２３は、操作画面フレーム１０１の操作画面貼り付けフレーム１０５と同様に、操作画面１３１〜１３ｎを重ねて貼り付けることができる。この場合、患者データ管理キーなど、共通キー貼り付けフレーム１２２に貼り付けた単部品１２４を共有することができる。もちろん、共通キー貼り付けフレーム１０４に貼り付けた単部品１０７についても共有することが可能である。
【００２３】
このように、用途別に分割したフレームを１つのフレームとして管理することで、同一管理キーによる操作画面のグルーピングおよび管理キーの共有が可能となる。
【００２４】
図３は共通キーを使用した患者データ入力画面の切り替えを示す。この患者データ入力画面は本発明の操作画面の一種で、共通キー貼り付けフレーム３０５に患者を管理する患者番号を共通キー３０２として入力している。タブ３０３により操作画面３０６を依頼入力／結果入力に切り替え、操作画面３０６上に貼り付けた表部品などでデータの入力・表示を行う。これにより、操作画面切り替え時に共通キーの入力操作を省略し、同時に操作画面数を減らすことができる。
【００２５】
図４に操作画面フレームのレイアウト定義テーブルの構成例を示す。フレームレイアウト定義４０１は、メインのフレームを分割する分割番号４０２、分割したフレームの位置を表すレイアウト座標４０３、分割したフレームの属性を示す貼り付けフレーム４０４を有する。また、操作画面貼り付けフレームで有効とする画面の貼り付け数を示す画面数４０５、及び貼り付けた画面の細分割を表す詳細分割４０６を有する。細分割した操作画面貼り付けフレームのレイアウトを定義する操作画面レイアウト定義４１１は、フレームレイアウト定義４０１と同じ構造とする。
【００２６】
フレームレイアウト定義４０１の分割番号４０２は、操作画面フレームを分割する数分の画面番号を登録する。登録した画面番号について、操作画面フレーム内の位置をレイアウト座標４０３に登録し、それぞれの画面番号について貼り付けフレーム４０４にフレームの属性を定義する。貼り付けフレーム４０４が「操作画面」の場合は、該操作画面の貼り付けフレームに貼り付ける画面数ｍを画面数４０５の該当位置４０７に登録する。更に、詳細分割する場合は、詳細分割４０６の該当位置４０８に「有効」を登録する。細分割情報は、操作画面レイアウト定義４１１にフレームレイアウト定義４０１と同様に、画面数や詳細分割の情報を登録する。このように、フレームレイアウトおよび操作画面レイアウトを定義することで、定義画面４２１、４３１に示す操作画面のレイアウトが可能となる。
【００２７】
図５は操作画面のレイアウトを生成する手順を示す。操作画面レイアウト生成手段２２１はレイアウト定義テーブル２２２に基いてレイアウトを生成する。操作画面の生成手順は、該当するレイアウト定義読出しを行い（５０１）、分割番号に登録してある画面数分の詳細分割の有無を判定する（５０２）。判定内容が有効の場合には、操作画面貼り付けフレームの生成を行う（５０３）。その他の場合には、登録されている属性ごとのフレームの生成を行う（５０７）。
【００２８】
属性が操作画面の場合には登録されている画面数５０４に基いて、貼り付けた操作画面ごとに詳細分割の判定を実施する（５０５）。詳細分割登録が有効の場合には、レイアウト定義読出し５０１から、操作画面貼付け５０４と同じ処理を繰り返し詳細レイアウトを生成する。
【００２９】
本実施例によれば、管理キーの追加・削除、管理キーを共有する操作画面の自由な組み合わせが可能になる。また、貼り付けた操作画面間での管理キー共有が可能となるため複数の操作画面を１画面として扱え、管理キーの入力が省略できるので操作性を向上できる。また操作画面数が減るので、データベースアクセス回数が減少し、システムの性能を向上できる。さらに、１操作画面のレイアウト編集と同じ簡単な操作で操作画面のレイアウトを編集できるので、ユーザ側でのフォーマッティング作業を可能にする。
【図面の簡単な説明】
【００３０】
【図１】本発明の一実施例による操作画面の標準フレームの構成図。
【図２】臨床検査システムの概略構成図。
【図３】共通キーを使用した操作画面の切り替えを示す説明図。
【図４】フレーム及び操作画面レイアウト定義テーブルの構成図。
【図５】操作画面の標準フレーム生成を示すフロー図。
【符号の説明】
【００３１】
１０１…操作画面フレーム、１０２…タイトルフレーム、１０３…ボタン貼り付けフレーム、１０４…共通キー貼り付けフレーム、１０５…操作画面貼り付けフレーム、１０６…ボタン部品、１０７…単部品、１１１〜１１ｎ…操作画面、１２１…細分割したボタン貼り付けフレーム、１２２…細分割した共通キー貼り付けフレーム、１２３…細分割した操作画面貼り付けフレーム、１３１〜１３ｎ…細分割した操作画面、３０１…ボタン部品、３０２…単部品、３０３…タブ、３０４…依頼項目（表部品）、３０５…共通キー貼り付けフレーム、３０６…操作画面貼り付けフレーム(依頼入力)、３０７…操作画面貼り付けフレーム(結果入力)、３０８…結果値（表部品）、２１０…サーバ、２２０…クライアント、２２１…操作画面レイアウト生成手段、２２２…操作画面レイアウト定義テーブル、２３１〜２３ｎ…分析装置、２４０…ゲートウェイ、２５０…ホストシステム、２６０…通信回線（ＬＡＮ）、４０１…フレームレイアウト定義テーブル、４０２…分割番号、４０３…レイアウト座標、４０４…分割フレームの属性（貼り付けフレーム）、４０５…操作画面貼り付け数、４０６…細分割情報、４０７…操作画面貼り付け数、４０８…詳細分割情報、４１１…詳細フレームレイアウト定義テーブル、４２１…フレーム分割例、４３１…詳細フレーム分割例。
【図１】
2005201720.tif 000003
【図２】
2005201720.tif 000004
【図３】
2005201720.tif 000005
【図４】
2005201720.tif 000006
【図５】
2005201720.tif 000007